【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
下記式：
【化１】
1998330115.tif 000001
（式中、Ｒ1 及びＲ2 は水素、ハロゲン、アルキル、アルコキシ、アリール及びアリールオキシからなる群から独立に選ばれ、Ｒ3 は水素、（ＣＨ2 ）n ＣＨ3 （式中、ｎは０〜３の間の整数である）、Ｃ（Ｏ）（ＣＨ2 ）n ＣＨ3 （式中、ｎは０〜３の間の整数である）、Ｃ（Ｏ）ＮＨ2 、Ｃ（Ｏ）ＮＨ（ＣＨ2 ）n ＣＨ3 （式中、ｎは０〜３の間の整数である）及びＣ（Ｏ）Ｎ［（ＣＨ2 ）n ＣＨ3 ］（ＣＨ2 ）m ＣＨ3 （式中、ｎ及びｍは０〜３の間の整数である）からなる群から選ばれ、Ｒ4 は式：［（ＣＨ2 ）a （ＣＨＸ）b （ＣＹＺ）c ］（式中、Ｘ、Ｙ及びＺは水素、ハロゲン、アルキル、アルコキシ、アリール及びアリールオキシからなる群から独立に選ばれ、ａ、ｂ及びｃはａ＋ｂ＋ｃが２〜６の間の整数に等しいという条件を満たす０〜６の間の整数である）により表される）により表される環状シラザンにより処理されこの環状シラザンを有する金属酸化物を含む、電荷が調整された金属酸化物。
【請求項２】
前記金属酸化物がシリカ、アルミナ、セリア、ゲルマニア、チタニア、ジルコニア及びこれらの混合物からなる群から選ばれる請求項１記載の電荷が調整された金属酸化物。
【請求項３】
前記金属酸化物がヒュームド金属酸化物、コヒュームド金属酸化物、沈降金属酸化物、ゲルベースの金属酸化物及びこれらの混合物からなる群から選ばれる請求項１記載の電荷が調整された金属酸化物。
【請求項４】
前記ゲルベースの金属酸化物がエーロゲル、シリカゲル、キセロゲルまたはこれらの混合物である請求項３記載の電荷が調整された金属酸化物。
【請求項５】
前記金属酸化物が約４０ｍ2 ／ｇ〜約１０００ｍ2 ／ｇの間のＢＥＴ表面積を有する請求項１記載の電荷が調整された金属酸化物。
【請求項６】
前記金属酸化物が約５０ｍ2 ／ｇ〜約４００ｍ2 ／ｇの間のＢＥＴ表面積を有する請求項５記載の電荷が調整された金属酸化物。
【請求項７】
前記金属酸化物が約１００ｍ2 ／ｇ〜約３５０ｍ2 ／ｇの間のＢＥＴ表面積を有する請求項６記載の電荷が調整された金属酸化物。
【請求項８】
前記金属酸化物が約０．０５μｍ〜約２００μｍの間の平均凝集体粒度を有する請求項１記載の電荷が調整された金属酸化物。
【請求項９】
前記金属酸化物が約１μｍ〜約３０μｍの間の平均凝集体粒度を有する請求項８記載の電荷が調整された金属酸化物。
【請求項１０】
前記環状シラザンが下記式：
【化２】
1998330115.tif 000002
（式中、Ｒ4 は式：［（ＣＨ2 ）a （ＣＨＸ）b （ＣＹＺ）c ］（式中、Ｘ、Ｙ及びＺは水素、ハロゲン、アルキル、アルコキシ、アリール及びアリールオキシからなる群から独立に選ばれ、ａ、ｂ及びｃはａ＋ｂ＋ｃが３または４の整数に等しいという条件を満たす０〜６の間の整数である）により表される）により表される請求項１記載の電荷が調整された金属酸化物。
【請求項１１】
元素状窒素が約０．０１重量％〜約２．７５重量％の間の量に達するのに十分な量で前記環状シラザンが金属酸化物の表面上に存在する請求項１記載の電荷が調整された金属酸化物。
【請求項１２】
元素状窒素が約０．０８重量％〜約１．７５重量％の間の量に達するのに十分な量で前記環状シラザンが金属酸化物の表面上に存在する請求項１１記載の電荷が調整された金属酸化物。
【請求項１３】
元素状窒素が約０．２重量％〜約１．１重量％の間の量に達するのに十分な量で前記環状シラザンが金属酸化物の表面上に存在する請求項１２記載の電荷が調整された金属酸化物。
【請求項１４】
前記電荷が調整された金属酸化物が疎水性処理剤をさらに含む請求項１記載の電荷が調整された金属酸化物。
【請求項１５】
前記疎水性処理剤が、オルガノポリシロキサン、オルガノシロキサン、オルガノシラザン、オルガノシラン、ハロゲノオルガノポリシロキサン、ハロゲノオルガノシロキサン、ハロゲノオルガノシラザン及びハロゲノオルガノシランのうちの少なくとも１種である請求項１記載の電荷が調整された金属酸化物。
【請求項１６】
樹脂粒子と、少なくとも１種の着色剤と、環状シラザンにより処理されこの環状シラザンを有する電荷が調整された金属酸化物とを含む、正電荷が帯電したトナー組成物であって、前記環状シラザンが、下記式：
【化３】
1998330115.tif 000003
（式中、Ｒ1 及びＲ2 は水素、ハロゲン、アルキル、アルコキシ、アリール及びアリールオキシからなる群から独立に選ばれ、Ｒ3 は水素、（ＣＨ2 ）n ＣＨ3 （式中、ｎは０〜３の間の整数である）、Ｃ（Ｏ）（ＣＨ2 ）n ＣＨ3 （式中、ｎは０〜３の間の整数である）、Ｃ（Ｏ）ＮＨ2 、Ｃ（Ｏ）ＮＨ（ＣＨ2 ）n ＣＨ3 （式中、ｎは０〜３の間の整数である）及びＣ（Ｏ）Ｎ［（ＣＨ2 ）n ＣＨ3 ］（ＣＨ2 ）m ＣＨ3 （式中、ｎ及びｍは０〜３の間の整数である）からなる群から選ばれ、Ｒ4 は式：［（ＣＨ2 ）a （ＣＨＸ）b （ＣＹＺ）c ］（式中、Ｘ、Ｙ及びＺは水素、ハロゲン、アルキル、アルコキシ、アリール及びアリールオキシからなる群から独立に選ばれ、ａ、ｂ及びｃはａ＋ｂ＋ｃが２〜６の間の整数に等しいという条件を満たす０〜６の間の整数である）により表される）により表されることを特徴とするトナー組成物。
【請求項１７】
前記電荷が調整された金属酸化物が約０．０５重量％〜約５．０重量％の量で存在することを特徴とする請求項１６記載のトナー組成物。
【請求項１８】
前記電荷が調整された金属酸化物が約０．２５重量％〜約１．０重量％の量で存在することを特徴とする請求項１７記載のトナー組成物。
【請求項１９】
前記樹脂粒子が、スチレンポリマー、ポリエステル、及びこれらの混合物から選ばれる請求項１６記載のトナー組成物。
【請求項２０】
前記樹脂粒子が、スチレンアクリレート、スチレンメタクリレート、ポリエステル、スチレンブタジエン、及びこれらの混合物から選ばれることを特徴とする請求項１６記載のトナー組成物。
【請求項２１】
前記着色剤が顔料、染料、又はこれらの組み合わせであることを特徴とする請求項１６記載のトナー組成物。
【請求項２２】
前記金属酸化物がシリカ、アルミナ、セリア、ゲルマニア、チタニア、ジルコニア及びこれらの混合物からなる群から選ばれることを特徴とする請求項１６記載のトナー組成物。
【請求項２３】
前記金属酸化物がヒュームド金属酸化物、コヒュームド金属酸化物、沈降金属酸化物、ゲルベースの金属酸化物及びこれらの混合物からなる群から選ばれることを特徴とする請求項１６記載のトナー組成物。
【請求項２４】
前記ゲルベースの金属酸化物がエーロゲル、シリカゲル、キセロゲルまたはこれらの混合物であることを特徴とする請求項１６記載のトナー組成物。
【請求項２５】
前記金属酸化物が約４０ｍ2 ／ｇ〜約１０００ｍ2 ／ｇの間のＢＥＴ表面積を有することを特徴とする請求項１６記載のトナー組成物。
【請求項２６】
前記金属酸化物が約５０ｍ2 ／ｇ〜約４００ｍ2 ／ｇの間のＢＥＴ表面積を有することを特徴とする請求項２５記載のトナー組成物。
【請求項２７】
前記金属酸化物が約１００ｍ2 ／ｇ〜約３５０ｍ2 ／ｇの間のＢＥＴ表面積を有することを特徴とする請求項２６記載のトナー組成物。
【請求項２８】
約０．０５μｍ〜約２００μｍの間の平均凝集体粒度を有することを特徴とする請求項１６記載のトナー組成物。
【請求項２９】
約１μｍ〜約３０μｍの間の平均凝集体粒度を有することを特徴とする請求項２８記載のトナー組成物。
【請求項３０】
前記環状シラザンが下記式：
【化４】
1998330115.tif 000004
（式中、Ｒ4 は式：［（ＣＨ2 ）a （ＣＨＸ）b （ＣＹＺ）c ］（式中、Ｘ、Ｙ及びＺは水素、ハロゲン、アルキル、アルコキシ、アリール及びアリールオキシからなる群から独立に選ばれ、ａ、ｂ及びｃはａ＋ｂ＋ｃが３または４の整数に等しいという条件を満たす０〜６の間の整数である）により表される）により表されることを特徴とする請求項１６記載のトナー組成物。
【請求項３１】
元素状窒素が約０．０１重量％〜約２．７５重量％の間の量に達するのに十分な量で前記環状シラザンが金属酸化物の表面上に存在することを特徴とする請求項１６記載のトナー組成物。
【請求項３２】
元素状窒素が約０．０８重量％〜約１．７５重量％の間の量に達するのに十分な量で前記環状シラザンが金属酸化物の表面上に存在することを特徴とする請求項３１記載のトナー組成物。
【請求項３３】
元素状窒素が約０．２重量％〜約１．１重量％の間の量に達するのに十分な量で前記環状シラザンが金属酸化物の表面上に存在することを特徴とする請求項３２記載のトナー組成物。
【請求項３４】
前記電荷が調整された金属酸化物が疎水性処理剤をさらに含むことを特徴とする請求項１６記載のトナー組成物。
【請求項３５】
前記疎水性処理剤が、オルガノポリシロキサン、オルガノシロキサン、オルガノシラザン、オルガノシラン、ハロゲノオルガノポリシロキサン、ハロゲノオルガノシロキサン、ハロゲノオルガノシラザン及びハロゲノオルガノシランのうちの少なくとも１種であることを特徴とする請求項３４記載のトナー組成物。
【請求項３６】
前記トナー組成物が電荷調整剤をさらに含むことを特徴とする請求項１６記載のトナー組成物。
【請求項３７】
樹脂粒子と、少なくとも１種の着色剤と、キャリア粒子と、環状シラザンにより処理されこの環状シラザンを有する電荷が調整された金属酸化物とを含むトナー組成物を含んでなる現像剤組成物であって、前記環状シラザンが、下記式：
【化５】
1998330115.tif 000005
（式中、Ｒ1 及びＲ2 は水素、ハロゲン、アルキル、アルコキシ、アリール及びアリールオキシからなる群から独立に選ばれ、Ｒ3 は水素、（ＣＨ2 ）n ＣＨ3 （式中、ｎは０〜３の間の整数である）、Ｃ（Ｏ）（ＣＨ2 ）n ＣＨ3 （式中、ｎは０〜３の間の整数である）、Ｃ（Ｏ）ＮＨ2 、Ｃ（Ｏ）ＮＨ（ＣＨ2 ）n ＣＨ3 （式中、ｎは０〜３の間の整数である）及びＣ（Ｏ）Ｎ［（ＣＨ2 ）n ＣＨ3 ］（ＣＨ2 ）m ＣＨ3 （式中、ｎ及びｍは０〜３の間の整数である）からなる群から選ばれ、Ｒ4 は式：［（ＣＨ2 ）a （ＣＨＸ）b （ＣＹＺ）c ］（式中、Ｘ、Ｙ及びＺは水素、ハロゲン、アルキル、アルコキシ、アリール及びアリールオキシからなる群から独立に選ばれ、ａ、ｂ及びｃはａ＋ｂ＋ｃが２〜６の間の整数に等しいという条件を満たす０〜６の間の整数である）により表される）により表されることを特徴とする現像剤組成物。
【請求項３８】
前記キャリア粒子がフェライト、スチールまたは鉄の粉末であることを特徴とする請求項３７記載の現像剤組成物。
【請求項３９】
負電荷が帯電した光導電性画像形成部材上に静電潜像を形成すること、樹脂粒子と、少なくとも１種の着色剤と環状シラザンにより処理された電荷が調整された金属酸化物とを含むトナー組成物により潜像を現像すること、その後、現像された画像を適切な支持体上に転写することを含む画像形成方法であって、前記環状シラザンが、下記式：
【化６】
1998330115.tif 000006
（式中、Ｒ1 及びＲ2 は水素、ハロゲン、アルキル、アルコキシ、アリール及びアリールオキシからなる群から独立に選ばれ、Ｒ3 は水素、（ＣＨ2 ）n ＣＨ3 （式中、ｎは０〜３の間の整数である）、Ｃ（Ｏ）（ＣＨ2 ）n ＣＨ3 （式中、ｎは０〜３の間の整数である）、Ｃ（Ｏ）ＮＨ2 、Ｃ（Ｏ）ＮＨ（ＣＨ2 ）n ＣＨ3 （式中、ｎは０〜３の間の整数である）及びＣ（Ｏ）Ｎ［（ＣＨ2 ）n ＣＨ3 ］（ＣＨ2 ）m ＣＨ3 （式中、ｎ及びｍは０〜３の間の整数である）からなる群から選ばれ、Ｒ4 は式：［（ＣＨ2 ）a （ＣＨＸ）b （ＣＹＺ）c ］（式中、Ｘ、Ｙ及びＺは水素、ハロゲン、アルキル、アルコキシ、アリール及びアリールオキシからなる群から独立に選ばれ、ａ、ｂ及びｃはａ＋ｂ＋ｃが２〜６の間の整数に等しいという条件を満たす０〜６の間の整数である）により表される）により表されることを特徴とする画像形成方法。
【請求項４０】
転写された画像が支持体に永久的に定着されることを特徴とする請求項３９記載の画像形成方法。
【手続補正２】
【補正対象書類名】図面
【補正対象項目名】図２
【補正方法】変更
【補正の内容】
【図２】
1998330115.tif 000007
【手続補正３】
【補正対象書類名】図面
【補正対象項目名】図３
【補正方法】変更
【補正の内容】
【図３】
1998330115.tif 000008